(57)【要約】【課題】ハンドルレバ−の操作のしやすさを確保しつつ、特定範囲に対する球の発射される距離の微調整の容易化を図る。【解決手段】ハンドルレバー２から遊技者による操作力が解除された初期状態およびハンドルレバー２が遊技者で最大に回転操作された右打ち状態では、駆動歯車３と従動歯車４との噛み合い形態が駆動歯車３の大歯車６と従動歯車４の小歯車１２との噛み合った高速な形態であって、ハンドルレバー２の回転操作に対する可変抵抗器５の抵抗値の変化が大きくなり、遊技者がハンドルレバー２を初期状態および右打ち状態との間の中間範囲に操作した微調整状態では駆動歯車３と従動歯車４との噛み合い形態が駆動歯車３の小歯車７と従動歯車４の大歯車１３との噛み合った低速な形態であって、ハンドルレバー２の回転操作に対する可変抵抗器５の抵抗値の変化が小さくなる。【選択図】　　図１
2004024664.tif 000002
【特許請求の範囲】
【請求項１】
遊技者に操作されるハンドルレバーと、ハンドルレバーに一緒に回転可能に設けられた駆動歯車と、駆動歯車に噛み合う従動歯車と、従動歯車に連結されてハンドルレバーの操作量を電気的な出力に変換する可変抵抗器とを備えたパチンコ機のハンドルグリップ装置において、駆動歯車と従動歯車とを高速・低速に切り替え可能に形成したことを特徴とするパチンコ機のハンドルグリップ装置。
【請求項２】
駆動歯車は大歯車と小歯車とが同軸上で互いに結合した単一体として形成され、従動歯車は小歯車と大歯車とが同軸上で互いに結合した単一体として形成され、駆動歯車の大歯車と従動歯車の小歯車との噛み合いで上記高速の形態を形成し、駆動歯車の小歯車と従動歯車の大歯車との噛み合いで上記低速の形態を形成することを特徴とする請求項１記載のパチンコ機のハンドルグリップ装置。
【発明の詳細な説明】
【０００１】
【発明の属する技術分野】
本発明はパチンコ機において球を発射するために人為操作されるハンドルグリップ装置に関する。
【０００２】
【従来の技術】
図３は、実用新案登録第３０５５７６５号公報で開示されたパチンコ機を模式的に示す。パチンコ機は遊技機枠５１の前面に透視性パネル５２と皿装置５３およびハンドルグリップ装置５４を備える一方、遊技機枠５１の内部に遊技主体である遊技盤５５を透視性パネル５２で覆われるように格納する形態である。そして、遊技者がハンドルグリップ装置５４のハンドルレバー２を矢印Ｘ方向に回転操作すると、ハンドルレバー２の回転操作量が駆動歯車５６および従動歯車５７を介して可変抵抗器５のボリューム軸２２に伝達され、可変抵抗器５がボリューム軸２２に連結された可変抵抗器５の内部における可動子の移動による抵抗値の変化を電気的に変換した出力として制御装置５８に出力し、制御装置５８が可変抵抗器５の抵抗値の変化に応じた電力を分間１００個未満の周期で球発射機構６０の駆動源に供給し、球発射機構６０が球Ｐを遊技盤５５に向けて発射する。
【０００３】
【発明が解決しようとする課題】
しかしながら、前記従来例は遊技者がハンドルレバーを操作しやすいように、ハンドルレバー２が約１／３回転すると、可変抵抗器５のボリューム軸２２が１回転程度するように、ハンドルレバー２と一緒に回転する駆動歯車５６とそれに噛み合ってボリューム軸２２を回転させる従動歯車５７との歯車比が一様の一段構造であるので、遊技者が所定範囲に対する球の発射される位置を微調整することが困難であった。その理由は、例えば、遊技者が遊技盤５５のガイドレール６１で囲まれた内側の遊技領域における天釘６２と左側との釘６３とでそれらの間に形成された「ぶっこみ」と呼ばれるような１個の球Ｐの通過可能な隙間６４のような所定範囲に球を発射しようとした場合でも、ハンドルレバー２の微小な操作量に対し、可変抵抗器５の抵抗値が大きく変化するからである。
【０００４】
そこで、本発明はハンドルレバーの操作のしやすさを確保しつつ、特定範囲に対する球の発射される距離を微調整することができるパチンコ機のハンドルグリップ装置を提供するものである。
【０００５】
【課題を解決するための手段】
本発明にあっては、遊技者に操作されるハンドルレバーと、ハンドルレバーに一緒に回転可能に設けられた駆動歯車と、駆動歯車に噛み合う従動歯車と、従動歯車に連結されてハンドルレバーの操作量を電気的な出力に変換する可変抵抗器とを備えたパチンコ機のハンドルグリップ装置において、ハンドルレバーの駆動歯車と従動歯車とを高速・低速に切り替え可能に形成したことによって、ハンドルレバーから遊技者による操作力が解除された初期状態およびハンドルレバーが遊技者で最大に回転操作された右打ち状態では、駆動歯車と従動歯車との噛み合い形態が高速な形態であって、ハンドルレバーの回転操作に対する可変抵抗器の抵抗値の変化を大きくし、遊技者がハンドルレバーを上記初期状態および右打ち状態との間の中間範囲に操作した微調整状態では駆動歯車と従動歯車との噛み合い形態が低速な形態であって、ハンドルレバーの回転操作に対する可変抵抗器の抵抗値の変化を小さくすることができる。よって、ハンドルグリップ装置によって駆動される球発射機構が遊技盤のガイドレールで囲まれた内側の遊技領域における天釘と左側との釘とでそれらの間に形成された「ぶっこみ」と呼ばれるような１個の球の通過可能な隙間のような所定範囲に球を発射する中間範囲において、ハンドルグリップ装置における駆動歯車と従動歯車との噛み合い形態を上記低速な形態となるように設定することによって、ハンドルレバーの回転操作に対する可変抵抗器の抵抗値の変化が小さいので、遊技者が所定範囲に対する球の発射される位置を容易に微調整することができる。また、本発明にあっては、駆動歯車は大歯車と小歯車とが同軸上で互いに結合した単一体として形成され、従動歯車は小歯車と大歯車とが同軸上で互いに結合した単一体として形成され、駆動歯車の大歯車と従動歯車の小歯車との噛み合いで上記高速の形態を形成し、駆動歯車の小歯車と従動歯車の大歯車との噛み合いで上記低速の形態を形成すれば、駆動歯車および従動歯車が小形となり、駆動歯車および従動歯車を狭い空間に適切に設置することができる。
【０００６】
【発明の実施の形態】
図１および図２は実施形態であって、図１はパチンコ機のハンドルグリップ装置１の外観を分解して示し、図２は駆動歯車３と従動歯車４の噛み合い形態を示す。
【０００７】
図１を参照し、パチンコ機のハンドルグリップ装置１について説明する。ハンドルグリップ装置１はハンドルレバー２、駆動歯車３、従動歯車４、可変抵抗器５、グリップ本体２４、カバー３３を備える。駆動歯車３は大歯車６と小歯車７とを同軸上で互いに結合した単一体になっている。大歯車６は小歯車７の外形よりも大きな円周上に歯を有する平歯車であって、大歯車６の歯の形成された外周部の一部が小歯車７の外形よりも大きな円周と接線を成す切欠面８で除去された逃げを有する。大歯車６および小歯車７の中心にはブッシュ挿入孔９が形成され、ブッシュ挿入孔９周りの大歯車６の前面には複数のねじ孔（雌ねじの形成された孔）１０が形成される。
【０００８】
従動歯車４は小歯車１２と大歯車１３とを同軸上で互いに結合した単一体になっている。大歯車１３は小歯車１２の外形より大きな円周上に歯を有する扇形の平歯車である。小歯車１２および大歯車１３の中心には断面半月形状の異形孔１４が形成される。駆動歯車３の大歯車６と従動歯車４の小歯車１２との噛み合いで高速の形態を形成し、駆動歯車３の小歯車７と従動歯車４の大歯車１３との噛み合いで低速の形態を形成する。駆動歯車３と従動歯車４とにおける低速と高速との切り替わりの場合、少なくとも、駆動歯車３の大歯車６における１個の歯と従動歯車４の小歯車１２における１個の歯とが噛み合っている最中に、駆動歯車３の小歯車７における１個の歯と従動歯車４の大歯車１３における１個の歯とが噛み合うことによって、駆動歯車３および従動歯車４の噛み合いは常に保持されるようになっている。
【０００９】
駆動歯車３の大歯車６がハンドルレバー２のブッシュ挿通孔１６周りの裏面に接触され、筒状のブッシュ１７がハンドルレバー２の前側からブッシュ挿通孔１６を経由して駆動歯車３のブッシュ挿入孔９に挿入された後、図外の止ねじがブッシュ１７の径方向外側に突出したブラケット１８の貫通孔１９からハンドルレバー２の貫通孔２０を経由して駆動歯車３のねじ孔１０に締結されることによって、駆動歯車３がハンドルレバー２の回転中心部に固定的に取り付けられる。従動歯車４の大歯車１３が可変抵抗器５の方向に位置されるように、従動歯車４が可変抵抗器５のボリューム軸２２に取り付けられる。
【００１０】
具体的には、可変抵抗器５を裏面に回転しないように取り付けたボリュームベース２３がグリップ本体２４の前側内部に止ねじ２５で固定され、可変抵抗器５のボリューム軸２２がボリュームベース２３を裏側から前側に回転可能に貫通し、コイルスプリングのようなスプリング２６がボリュームベース２３よりも前側に突出したボリューム軸２２の断面半月形状の異形に形成された先端部を非接触に囲むように配置され、スプリング２６の一端部がボリュームベース２３に係留される。その状態において、従動歯車４の異形孔１４が大歯車１３から先にボリューム軸２２の異形な先端部に回転しないように整合しつつ嵌め込まれることによって、従動歯車４が可変抵抗器５のボリューム軸２２に一緒に回転するように取り付けられるとともに、スプリング２６の他端部が従動歯車４に係留されることにより、スプリング２６が従動歯車４、駆動歯車３およびボリューム軸２２に一方向に復帰する復帰回転力（矢印Ｘの逆向きの回転復帰力）を与える。従動歯車４より前面に突出したボリューム軸２２の先端部には止輪２７が装着されて、従動歯車４のボリューム軸２２からの落下を防止する。
【００１１】
ボリュームベース２３よりも前側に突出したグリップ軸２９とハンドルレバー２に取り付けられた駆動歯車３を経由してブッシュ１７の軸受孔３０とが互いに回転可能に嵌め合わされる一方、ハンドルレバー２に取り付けられた駆動歯車３の大歯車６または小歯車７とグリップ本体２４に取り付けられた従動歯車４の小歯車１２または大歯車１３とが噛み合わせられるとともに、ハンドルレバー２に形成された複数の逃孔３１にグリップ本体２４の複数の支柱３２を取り込みつつ、ハンドルレバー２がグリップ本体２４の前側に被せられる。それから、半球形のカバー３３がハンドルレバー２の前側に被せられることによって、半球形のカバー３３の後面より突出した複数の突起３４とハンドルレバー２の逃孔３１から前側に突出したグリップ本体２４の支柱３２とが互いに突き合わされた後、図外の止ねじがグリップ本体２４の裏面側から支柱３２の貫通孔を経由してカバー３３の突起３４に締結されることにより、カバー３３がハンドルレバー２の回転操作を邪魔しないようにグリップ本体２４に取り付けられる。この状態において、ハンドルレバー２の指掛部３５はカバー３３の外側に配置する。
【００１２】
本実施形態の動作について図１および図２を参照して説明する。遊技者がハンドルレバー２に対する操作力を解除し、スプリング２６のばね力でボリューム軸２２が初期位置に戻され、可変抵抗器５から図外の制御装置に出力される抵抗値が最大である初期状態では、図２のａ図に示すように、駆動歯車３の大歯車６と従動歯車４の小歯車１２とが噛み合い、駆動歯車３の小歯車７と従動歯車４の大歯車１３との噛み合いが解除されている。その後、遊技者がハンドルレバー２を図１の矢印Ｘ方向に回転操作すると、図２のｂ図に示すように、駆動歯車３の小歯車７と従動歯車４の大歯車１３とが噛み合い、駆動歯車３の大歯車６と従動歯車４の小歯車１２との噛み合いが解除された微調整状態となる。さらに、遊技者がハンドルレバー２を図１の矢印Ｘ方向に回転操作すると、図２のｃ図に示すように、駆動歯車３の大歯車６と従動歯車４の小歯車１２とが噛み合い、駆動歯車３の小歯車７と従動歯車４の大歯車１３との噛み合いが解除された右打ち状態となる。
【００１３】
よって、図２のａ図の初期状態およびｃ図の右打ち状態では、駆動歯車３と従動歯車４との噛み合い形態が駆動歯車３の大歯車６と従動歯車４の小歯車１２との噛み合った高速な形態であり、ハンドルレバー２の回転操作に対する可変抵抗器５の抵抗値が大きく変化する。これに対し、図２のｂ図の微調整状態では、駆動歯車３と従動歯車４との噛み合い形態が駆動歯車３の小歯車７と従動歯車４の大歯車１３との噛み合った低速な形態であり、ハンドルレバー２の回転操作に対する可変抵抗器５の抵抗値の変化が小さい。
【００１４】
このようなことから、図３の球発射機構６０が遊技盤５５のガイドレール６１で囲まれた内側の遊技領域における天釘６２と左側との釘６３とでそれらの間に形成された「ぶっこみ」と呼ばれるような１個の球の通過可能な隙間６４のような所定範囲に球を発射する範囲において、図２のｂ図の微調整状態による駆動歯車３の小歯車７と従動歯車４の大歯車１３との噛み合った低速な形態となるように、ハンドルグリップ装置１における駆動歯車３と従動歯車４との噛み合い形態を設定することによって、ハンドルレバー２の回転操作に対する可変抵抗器５の抵抗値の変化が小さいので、遊技者が所定範囲に対する球の発射される位置を容易に微調整することができる。
【図面の簡単な説明】
【図１】一実施形態のハンドルグリップ装置を示す分解斜視図。
【図２】同実施形態の歯車の噛み合い形態を示す模式図。
【図３】従来例を示す模式図。
【符号の説明】
１　ハンドルグリップ装置
２　ハンドルレバー
３　駆動歯車
４　従動歯車
５　可変抵抗器
６　大歯車
７　小歯車
１２　小歯車
１３　大歯車
【図１】
2004024664.tif 000003
【図２】
2004024664.tif 000004
【図３】
2004024664.tif 000005